(57)【要約】【課題】可動側板をラック側板に取り付けるリンクをより簡易な構成とした商品収納ラックを提供すること。【解決手段】商品収納通路を画成するラック側板１０と、商品収納通路の通路幅を規制する可動側板５０と、一対のリンク部材５１，５２とにより、平行リンク機構を構成し、平行リンク機構が作用することにより、可動側板５０を商品収納通路に進出可能とした商品収納ラックにおいて、一対のリンク部材５１，５２は、それぞれ、可動側板５０に回動可能に支承された第一軸部５１ａ，５２ａと、第一軸部５１ａ，５２ａと平行に設けられ、ラック側板１０に回動可能に支承された第二軸部５１ｂ，５２ｂと、第一軸部５１ａ，５２ａの一端と第二軸部５１ｂ，５２ｂの一端とを接続した第一リンク部５１ｃ、５２ｃとを有する棒状部材で構成した。【選択図】        図２１
2008027357.tif 000002
【特許請求の範囲】
【請求項１】
商品収納通路を画成するラック側板と、商品収納通路の通路幅を規制する可動側板と、一対のリンク部材とにより、平行リンク機構を構成し、平行リンク機構が作用することにより、可動側板を商品収納通路に進出可能とした商品収納ラックにおいて、
前記一対のリンク部材は、それぞれ、
可動側板に回動可能に支承された第一軸部と、
該第一軸部と平行に設けられ、ラック側板に回動可能に支承された第二軸部と、
前記第一軸部の一端と前記第二軸部の一端とを接続した第一リンク部と
を有する棒状部材で構成されたことを特徴とする商品収納ラック。
【請求項２】
前記第一軸部の他端と前記第二軸部の他端とが開放端であることを特徴とする請求項１に記載の商品収納ラック。
【請求項３】
一方のリンク部材の第一リンク部は、可動側板の一側部とラック側板との間に設けられ、他方のリンク部材の第一リンク部は、可動側板の他側部とラック側板との間に設けられたことを特徴とする請求項２に記載の商品収納ラック。
【請求項４】
前記リンク部材は、
さらに、
軸線を第二軸部の軸線に一致させ、かつ、ラック側板に回動可能に支承された第三軸部と、
第一軸部の他端と第三軸部の一端とを接続した第二リンク部と
を有することを特徴とする請求項１に記載の商品収納ラック。
【請求項５】
前記ラック側板は、第一側板と、該第一側板の側方に所定の間隔を隔てた第二側板とにより構成され、
前記第二軸部が前記第一側板と前記第二側板との間隔を越える長さを有することを特徴とする請求項１〜４のいずれか一つに記載の商品収納ラック。
【発明の詳細な説明】
【技術分野】
【０００１】
本発明は、自動販売機に内蔵される商品収納ラックに関し、特に商品収納ラックの内部に画成した商品通路の通路幅を調整可能とした商品収納ラックに関するものである。
【背景技術】
【０００２】
缶入り飲料やビン入り飲料、あるいはペットボトル入り飲料等の商品を販売する自動販売機に内蔵される商品収納ラックが広く知られている。このような商品収納ラックは、略円筒形（多角形のものも含む）で、かつ強度の高い容器に収容した商品の収納に適したサーペンタイン方式の商品収納通路が採用されている。
【０００３】
サーペンタイン方式の商品収納通路は、横倒し姿勢で投入された商品を消勢するとともに、内部に商品を収納するものであり、湾曲形状をしたセグメントが手前側と奥側とに互いに対向するように、ラック側板間に適宜連設することによって、上下方向に蛇行するように延設されている。したがって、商品収納通路に投入された商品は、商品収納通路を通過する際の衝撃で容器が破損／変形することがない。そして、その上端側が商品の投入側となり、下端側が商品の搬出側となる。
【０００４】
また、商品収納ラックには、可動側板が設けてある。可動側板は、ラック側板から商品収納通路に進出可能であって、商品収納通路の幅を規制可能である。可動側板は、可動側板本体と連結板とを有し、可動側板本体には、商品収納通路に臨む面に平面視コの字状となるチャンネル部が形成してある。チャンネル部には、連結板が嵌挿してあり、可動側板本体は、連結板に対してスライド可能となっている。連結板は、可動側板本体を挿通した上下一対のリンク部材によってラック側板に取り付けてある。リンク部材は、軸部を有した板状体で構成してあり、連結板およびラック側板とともに、平行リンク機構を構成する。したがって、連結板は、ラック側板と平行な状態を維持して商品収納通路に進出可能であり、この連結板に対してスライド可能な可動側板本体は、ラック側板に平行に進出可能となっている。
【０００５】
したがって、横倒し姿勢の商品のサイズが商品収納通路の幅よりも小さい場合には、可動側板を商品収納通路に進出させることにより、横倒し姿勢の商品のサイズに合わせて、商品収納通路の幅を規制できる。このため、横倒し姿勢の商品のサイズが商品収納通路の幅よりも小さい場合であっても、可動板により商品収納通路の幅を規制すれば、横倒し姿勢で投入した商品が商品収納通路の内部で詰まることがない（例えば、特許文献１参照）。
【０００６】
【特許文献１】特開２００３−２２３６７７号公報
【発明の開示】
【発明が解決しようとする課題】
【０００７】
しかしながら、上述したリンク部材は、軸部を有した板状体で構成してあるため、板金を切断し、折り曲げて加工する必要があり、商品収納ラックのコストダウンの障害となっていた。
【０００８】
本発明は、上記実情に鑑みて、可動側板をラック側板に取り付けるリンク部材をより簡易な構成とし、商品収納ラックのコストダウンを達成することを目的とする。
【課題を解決するための手段】
【０００９】
上記の目的を達成するために、本発明の請求項１にかかる商品収納ラックは、商品収納通路を画成するラック側板と、商品収納通路の通路幅を規制する可動側板と、一対のリンク部材とにより、平行リンク機構を構成し、平行リンク機構が作用することにより、可動側板を商品収納通路に進出可能とした商品収納ラックにおいて、前記一対のリンク部材は、それぞれ、可動側板に回動可能に支承された第一軸部と、該第一軸部と平行に設けられ、ラック側板に回動可能に支承された第二軸部と、前記第一軸部の一端と前記第二軸部の一端とを接続した第一リンク部とを有する棒状部材で構成されたことを特徴とする。
【００１０】
また、本発明の請求項２にかかる商品収納ラックは、上記請求項１において、前記第一軸部の他端と前記第二軸部の他端とが開放端であることを特徴とする。
【００１１】
また、本発明の請求項３にかかる商品収納ラックは、上記請求項２において、一方のリンク部材の第一リンク部は、可動側板の一側部とラック側板との間に設けられ、他方のリンク部材の第一リンク部は、可動側板の他側部とラック側板との間に設けられたことを特徴とする。
【００１２】
また、本発明の請求項４にかかる商品収納ラックは、上記請求項１において、前記リンク部材は、さらに、軸線を第二軸部の軸線に一致させ、かつ、ラック側板に回動可能に支承された第三軸部と、第一軸部の他端と第三軸部の一端とを接続した第二リンク部とを有することを特徴とする。
【００１３】
また、本発明の請求項５にかかる商品収納ラックは、上記請求項１〜４のいずれか一つにおいて、前記ラック側板は、第一側板と、該第一側板の側方に所定の間隔を隔てた第二側板とにより構成され、前記第二軸部が前記第一側板と前記第二側板との間隔を越える長さを有することを特徴とする。
【発明の効果】
【００１４】
本発明にかかる商品収納ラックは、リンク部材をより簡易な構成、すなわち、可動側板に回動可能に支承された第一軸部と、第一軸部と平行に設けられ、ラック側板に回動可能に支承された第二軸部と、第一軸部の一端と第二軸部の一端とを接続した第一リンク部とを有する棒状部材で構成したので、商品収納ラックのコストダウンを達成できる。
【発明を実施するための最良の形態】
【００１５】
以下に添付図面を参照して、本発明にかかる商品収納ラックの好適な実施の形態を詳細に説明する。なお、この実施の形態によりこの発明が限定されるものではない。
【００１６】
図１は、本発明の実施の形態にかかる商品収納ラックを三つ並設した状態を示す側断面図である。商品収納ラック１は、一対のラック側板１０の間に、サーペンタイン方式の商品収納通路２０を画成したものであり、図２〜図５に示すように、ラック側板１０は、前側板１１、中側板１２および後側板１３により構成される収納板１４に、吊下板１５，１６および搬出板１７を着脱可能に接続することにより、構成してある。図３および図５に示すように、前側板１１、中側板１２および後側板１３、吊下板１５，１６および搬出板１７は、別体に構成したものであり、前側板１１と中側板１２との間および中側板１２と後側板１３との間に所定の間隔を空けた状態で、吊下板１５および搬出板１７を着脱可能に接続することにより、ラック側板１０に開口１８，１９を設けてある。
【００１７】
図３および図５に示すように、前側板１１、中側板１２および後側板１３は、上下方向に延在した板状部材であり、これらの両側縁部は、外方に延在するように、折り曲げてある。前側板１１、中側板１２および後側板１３の上部中央には、それぞれ左右対象となる一対の係止穴１４ａ１，１４ａ２が形成してある。係止穴１４ａ１，１４ａ２は、図８に示すように、略正方形となる矩形穴と、この矩形穴に連接したスリットとからなる異形穴で構成してあり、矩形穴とスリットとが連接した部分には、角部が形成される。
【００１８】
図２〜図５に示すように、吊下板１５，１６には、フックタイプの吊下板１５と、レールタイプの吊下板１６とがあり、これらのうちから選択して収納板１４（前側板１１、中側板１２、後側板１３）に接続可能である。図６に示すように、フックタイプの吊下板１５を接続して構成した商品収納ラック１は、天井部幅方向にフックタイプの吊下金具Ｈを取り付けた本体キャビネットに吊り下げ可能であり、図７に示すように、レールタイプの吊下板１６を接続して構成した商品収納ラック１は、天井部前後方向にレールタイプの吊下金具Ｒを取り付けた本体キャビネットに吊り下げ可能である。
【００１９】
これら二つのタイプの吊下板１５，１６には、収納板１４、すなわち、前側板１１、中側板１２および後側板１３、に形成した一対の係止穴１４ａ１，１４ａ２に挿通する係止爪１５ｂ１，１５ｂ２および突起１５ｂ３，１５ｂ４が三対形成してある。一対となる係止爪１５ｂ１，１５ｂ２および突起１５ｂ３，１５ｂ４は、係止穴１４ａ１，１４ａ２と同様に、左右対称であり、収納板１４、すなわち、前側板１１、中側板１２および後側板１３、に形成した一対の係止穴１４ａ１，１４ａ２と対応する位置に設けてある。図９、図１０および図１１に示すように、係止爪１５ｂ１，１５ｂ２は、係止穴１４ａ１，１４ａ２に挿通し、吊下板１５と収納板１４とが離反する方向にスライドした場合に、中側板１２に係止されるものである。図１０に示すように、係止爪１５ｂ１，１５ｂ２は、吊下板１５をプレス加工することにより、上方および側方が開口した矩形部分が吊下板１５から平行に延在するように形成してあり、その上部先端は吊下板１５から離反する方向に傾斜している。図８および図９に示すように、係止爪１５ｂ１，１５ｂ２は、収納板１４を接続した場合に、上下方向および左右方向の位置決めが可能である。突起１５ｂ３，１５ｂ４は、係止爪１５ｂ１，１５ｂ２と対となるように、係止爪１５ｂ１，１５ｂ２の下方に形成してあり、図１１に示すように、係止爪１５ｂ１，１５ｂ２が収納板１４と係止した場合に、係止穴１４ａ１，１４ａ２に収容され、係止爪１５ｂ１，１５ｂ２が脱落する方向へのスライドを阻止する。したがって、突起１５ｂ３，１５ｂ４は、吊下板１６から収納板１４が脱落しないように機能する。
【００２０】
このように構成した一対のラック側板１０の間には、図１に示すように、三つの通路形成板２１，２２，２３が配設してある。そして、これら三つの通路形成板２１，２２，２３により、二つの商品収納通路２０が画成される。すなわち、前方に配設した通路形成板２１と中央に配設した通路形成板２２との間、中央に配設した通路形成板２２と後方に配設した通路形成板２３との間にそれぞれ商品収納通路２０が画成される。
【００２１】
図１２および図１３に示すように、中央に配設した通路形成板２２は、前方と後方とに交互に突出するように折り曲げて形成してある。具体的には、重力方向に延在した第一直進部２４、前方に傾斜した第一傾斜部２５、重力方向に延在した第二直進部２６、後方に傾斜した第二傾斜部２７を繰り返すように形成してある。したがって、中央に配設した通路形成板２２において、第一直進部２４が後方に画成される商品収納通路２０に突出し、第二直進部２６が前方に画成される商品収納通路２０に突出する。
【００２２】
前方に配設した通路形成板２１と後方に配設した通路形成板２３とは、中央に配設した通路形成板２２に沿うように配設してあり、前方に配設した通路形成板２１と中央に配設した通路形成板２２とは、前方に商品収納通路２０を画成し、中央に配設した通路形成板２２と後方に配設した通路形成板２３とは、後方に商品収納通路２０を画成する。
【００２３】
また、前方に画成される商品収納通路２０に突出する第二直進部２６には、図１２に示すように、一対の第一膨出部２８が設けてある。第一膨出部２８は、前方に画成される商品収納通路２０が湾曲形状となるように形成した部分であり、絞り加工を施すことにより、第二直進部２６から前方に画成される商品収納通路２０に膨出している。
【００２４】
また、前方に画成される商品収納通路２０に突出する第二直進部２６の一方側（図１２および図１３において左側）には、フラッパー３０が取り付け可能となっている。具体的には、前方に画成される商品収納通路２０に突出する第二直進部２６に第一軸規制部３１と第二軸規制部３２とが切り起こして形成してある。第一軸規制部３１および第二軸規制部３２は、前方に画成される商品収納通路２０に突出するように形成してあり、フラッパー３０の軸部３０ａが挿入可能となっている。第一軸規制部３１は、通路形成板２１の側縁近傍に設けてあり、フラッパー３０の抜け落ちを防止する抜け落ち防止片３１ａを有している。この抜け落ち防止片３１ａは、前方に画成される商品収納通路２０から退避する方向に折り返すことにより、フラッパー３０の抜け落ちを防止可能である。第二軸規制部３２は、通路形成板２１の略中央に設けてあり、図１４に示すように、絞り加工を施すことにより、切り起こし端面３２Ａが前方に画成される商品収納通路２０から退避する方向に延在させてある（切り起こした状態の切り起こし端面を図１４において符号３２ａで示す）。
【００２５】
図１２、図１３および図１５に示すように、フラッパー３０の取付位置の上方には、一対の第二膨出部３３が設けてある。第二膨出部３３は、第一膨出部２８と同様に、前方に画成される商品収納通路２０が湾曲形状となるように形成した部分であり、フラッパー３０の上方への移動を規制可能である。
【００２６】
フラッパー３０の取付位置の下方には、通路形成板２１から切り起こした一対の突起３４が設けてある。突起３４は、フラッパー３０の下方への移動を規制可能である。したがって、フラッパー３０は、第一軸規制部３１、第二軸規制部３２、第二膨出部３３および突起３４に規制され、軸部３０ａの回りで回動可能となっている。
【００２７】
図１６および図１７に示すように、ラック側板１０の延在方向には、複数の係止穴４１，４２と、固定穴４３とが設けてある。係止穴４１，４２には、二種類の係止穴４１，４２があり、一の係止穴４１は長穴形状を有し、他の係止穴４２は、二つの長穴の一部が重なるように形成してある。固定穴４３は、平行四辺形の一部を構成する台形形状を有している。係止穴４１，４２と係止穴４１，４２との間には、抗穴４４が設けてある。抗穴４４は、平行四辺形となる形状を有している。
【００２８】
図１８に示すように、通路形成板２２の両側縁部には、係止部３５，３６、固定部３７および抗部３８，３９が設けてある。係止部３５，３６は係止穴４１，４２と、固定部３７は固定穴４３と、抗部３８は抗穴４４と対応するように設けてある。
【００２９】
係止部３５，３６は、係止穴４１，４２に挿通した後に、通路形成板２２がラック側板１０の延在方向にスライドした場合に、ラック側板１０と係止する部分であって、図１８に示すように、通路形成板２２の第一直進部２４および第二直進部２６の両側縁に形成してある。係止部３５，３６は、通路形成板２２の側縁から外側に延在した後に、下方に延在するように形成してある。係止部３５，３６の下方に延在した部分と側縁から延長した仮想側縁との間隙は、ラック側板１０（収納板１４）の厚みと略同一であり、係止部３５，３６をラック側板１０に係止させた場合に、係止部３５，３６とラック側板１０（収納板１４）との間に隙間が生じないようになっている。また、係止部３５，３６の下側に延在した部分の内側には、面取り３５ａ，３６ａが施してあり、係止部３５，３６をラック側板１０に係止させやすくなっている。さらに、係止部３５，３６の根元部分には、矩形の切り欠き３５ｂ，３６ｂが形成してあり、通路形成板２２に過重な力を働かせなくても、ラック側板１０に通路形成板２２を係止させることができる。
【００３０】
固定部３７は、係止部３５，３６がラック側板１０に係止した場合に、固定穴４３に収容する部分であって、図１８に示すように、通路形成板２２の最上部となる第一傾斜部２５あるいは第二傾斜部２７の両側縁に形成してある。固定部３７は、通路形成板２２の側縁から外側に延在するように形成してあり、固定部３７の略中央は、膨出させてある。
【００３１】
したがって、図１６および図１９に示すように、係止穴４１，４２に係止部３５，３６を挿通した後に、ラック側板１０と通路形成板２２とを相対的にスライドさせると、係止部３５，３６がラック側板１０に係止される。その後、図１７および図２０に示すように、固定部３７を固定穴４３に収容させて、ラック側板１０に通路形成板２２が取り付けられる。
【００３２】
抗部３８，３９は、係止部３５，３６がラック側板１０に係止した場合に、商品の荷重に抗する部分であって、通路形成板２２の第一傾斜部２５および第二傾斜部２７の両側縁に形成してある。抗部３８，３９は、固定部３７と同一形状を有している。
【００３３】
したがって、図１６および図１９に示すように、係止穴４１，４２に係止部３５，３６が挿通すると同時に抗穴４４に抗部３８，３９が挿通する。その後、図１７および図２０に示すように、ラック側板１０と通路形成板２２とを相対的にスライドさせると、係止部３５，３６がラック側板１０に係止されるとともに、抗部３８，３９が抗穴４４の縁部に当接する。このようにして構成した商品収納通路２０は、その上端側が商品の投入側となり、下端側が商品の搬出側となる。
【００３４】
このように構成された商品収納通路２０は、図２１に示すように、ラック側板１０に取り付けた可動側板５０により、通路幅を規制可能である。
【００３５】
ラック側板１０は、上述したように、吊下板１５（１６）、収納板１４および搬出板１７により構成してあり、収納板１４は、前側板１１、中側板１２、後側板１３により構成してある。また、上述したように、前側板（第一側板）１１と中側板（第二側板）１２との間、および中側板（第一側板）１２と後側板（第二側板）１３との間には、開口１８，１９が構成される。開口１８を構成する前側板１１の右側面下方部には軸穴（図示せず）が形成してあり、前側板１１の裏面側には、図２１に示すように、軸穴を挿通したリンク部材（後述する第二軸部５２ｂ）を支承する軸受部５４が設けてある。また、開口１８を構成する中側板１２の左側面上方部には軸穴（図示せず）が形成してあり、中側板１２の裏面側には、図２１に示すように、軸穴を挿通したリンク部材（後述する第二軸部５１ｂ）を支承する軸受部５３が設けてある。
【００３６】
可動側板５０は、可動側板本体５５、連結板５６および一対のリンク部材５１，５２とからなり、ラック側板１０とラック側板１０との間に画成された商品収納通路２０に進出可能である。可動側板本体５５は、商品収納通路２０に臨む面に、平面視コの字状となる凹部を成すチャンネル部が形成してある。チャンネル部の上方部両側面と下方部両側面とには長穴（図示せず）が形成してあり、リンク部材５１，５２が挿通可能となっている。また、長穴に沿ってビードが形成してあり、長穴に挿通したリンク部材５１，５２（第一軸部５１ａ，５２ａ）の脱落が防止可能となっている。
【００３７】
連結板５６は、平面視コの字状を呈しており、上述したチャンネル部を塞ぐ態様で可動側板本体５５に収容可能となっている。連結板５６の上方部両側面と下方部両側面とには、可動側板本体５５のチャンネル部に形成した長穴を挿通したリンク部材５１，５２（第一軸部５１ａ，５２ａ）が挿通するように、軸穴が形成してある。
【００３８】
一対のリンク部材５１，５２は、それぞれ、ステンレス製の一連の棒状部材を折り曲げてクランク状に形成したものであり、一の開放端部と他の開放端部とが互いに平行に、かつ、互いに反対方向に延在するように折り曲げて形成してある。このように構成したリンク部材５１，５２は、一の開放端部が第一軸部５１ａ，５２ａを構成し、他の開放端部が第二軸部５１ｂ，５２ｂを構成する。また、第一軸部５１ａ，５２ａと第二軸部５１ｂ，５２ｂとを接続する脚部分は、リンク部５１ｃ，５２ｃを構成する。
【００３９】
そして、可動側板本体５５に連結板５６を収容した後、可動側板本体５５のチャンネル部に形成した長穴と連結板５６に形成した軸穴とにリンク部材５１，５２の第一軸部５１ａ，５２ａが挿通すると、可動側板本体５５と連結板５６とが一体化する。このように一体化した可動側板本体５５と連結板５６とは、リンク部材５１，５２の第一軸部５１ａ，５２ａの周りに回動自在となり、可動側板本体５５と連結板５６とは相対的にスライド可能となる。
【００４０】
ここで、リンク部材５１，５２の第二軸部５１ｂ、５２ｂの長さ（屈曲部から第二軸部５１ｂ，５２ｂの開放端までの長さ）は、開口１８を構成する前側板（第一側板）１１と後側板（第二側板）１２との間隔よりも長くなるように形成してある。
【００４１】
そして、リンク部材５２の第二軸部５２ｂを前側板１１の軸穴に挿通した後に軸受部５４に支承するとともに、リンク部材５１の第二軸部５１ｂを中側板１２の軸穴に挿通した後に軸受部５３に支承することにより、収納板１４（前側板１１と中側板１２）に可動側板５０を取り付けてある。その後、収納板１４に吊下板１５（１６）および搬出板１７を接続することにより、ラック側板１０を構成してある。したがって、一方のリンク部材５２のリンク部５２ｃは、可動側板５０の一側部と収納板１４（前側板１１）との間に設けられ、他方のリンク部材５１のリンク部５１ｃは、可動側板５０の他側部と収納板１４（中側板１２）との間に設けられる。
【００４２】
このように構成したラック側板１０、上下一対のリンク部材５１，５２および連結板５６は、平行リンク機構を構成し、ラック側板１０から商品収納通路２０に可動側板５０が進出した場合であっても、連結板５６は、ラック側板１０に対して常に平行状態を維持する。そして、可動側板本体５５は、連結板５６に対してスライド可能なので、可動側板本体５５は上下移動することなく、ラック側板１０から商品収納通路２０に進出可能である。
【００４３】
また、図２２に示すように、一対のラック側板１０の間には、商品搬出装置６０および通路規制板６１が配設してある。商品搬出装置６０は、商品の搬出を制御するものであり、商品収納通路２０の下部出口に取り付けてある。商品搬出装置６０は、上下一対のペダル６２，６３とベンドソレノイド、およびリンク機構により構成してある。
【００４４】
通路規制板６１は、商品搬出装置６０との相対位置を規定するものであって、平板を折り曲げて形成してある。通路規制板６１は、商品搬出装置６０との間に画成される搬出通路の幅を規定する下端部がＬ字状となるように形成してある。通路規制板６１には、側縁から外方に延在する上突起６４と下突起６５とが設けてある。上突起６４は、通路規制板６１の側縁上部から延在し、下突起６５は、Ｌ字状となる下端部から延在している。したがって、下突起６５は、搬出方向の位置決めを行う第一の突起部分と搬出方向と交差する方向の位置決めを行う第二の突起部分とを有することになる。
【００４５】
ラック側板１０には、通路規制板６１の側縁に設けた上突起６４が挿通する上穴６６と、下突起が挿通する位置決め穴６７とが設けてある。上穴６６と位置決め穴６７とは、収納する商品の径に対応して通路規制板６１を移動可能とするものであり、細径商品を収納する場合に通路規制板６１を位置決めする細径商品位置決め部と、太径商品を収納する場合に通路規制板６１を位置決めする太径商品位置決め部とを有している。
【００４６】
これら細径商品位置決め部および太径商品位置決め部（以下、位置決め部という）は、位置決め穴６７の終端に設けてあり、それぞれＬ字状を有している。したがって、位置決め穴６７に挿通した下突起６５の下面が位置決め穴の下縁と当接し、下突起６５の側面が位置決め穴６７の側縁と当接する。この結果、商品搬出装置６０に対する通路規制板６１の位置決めを正確に行うことができ、商品搬出装置６０と通路規制板６１との間に確実に商品を保持することができる。
【００４７】
上述した本発明の実施の形態にかかる商品収納ラック１は、ステンレス製の棒状部材をクランク状に折り曲げて、一端が第一軸部５１ａ，５２ａを成し、他端が第二軸部５１ｂ，５２ｂを成すリンク部材５１，５２を構成したので、商品収納ラック１のコストダウンをはかることができる。
【００４８】
上述した可動側板５０は、クランク状に形成したリンク部材５１，５２により商品収納通路２０に進出可能なものとしたが、リンク部材５１，５２はクランク状のものに限られるものではない。以下に、他の実施の形態にかかる可動側板７０を説明する。
【００４９】
可動側板７０は、ラック側板１０に取り付けてある。ラック側板１０は、上述したように、吊下板１５（１６）、収納板１４および搬出板１７により構成してあり、収納板１４は、前側板１１、中側板１２、後側板１３により構成してある。また、上述したように、前側板（第一側板）１１と中側板（第二側板）１２との間、および中側板（第一側板）１２と後側板（第二側板）１３との間には、開口１８，１９が構成される。図２４に示すように、開口１８を構成する前側板１１の右側面には、上下一対となる軸穴１１ａが形成してあり、開口１８を構成する中側板１２の左側面には、軸穴１１ａと対向するように軸穴１２ａが形成してある。図には示さないが、同様に、開口１９を構成する中側板１２の右側面には、上下一対となる軸穴が形成してあり、開口１９を構成する後側板１３の左側面には、軸穴と対向するように軸穴が形成してある。
【００５０】
図２３および図２４に示すように、可動側板７０は、可動側板本体７１、連結板７２および一対のリンク部材７３とからなり、図２４に示すように、ラック側板１０とラック側板１０との間に画成された商品収納通路２０に進出可能である。可動側板本体７１は、商品収納通路２０に臨む面に平面視コの字状の凹部を成すチャンネル部７１ａが形成してある。チャンネル部７１ａは、ラック側板１０に構成された開口１８に収容可能であって、チャンネル部７１ａの上方部両側面と下方部両側面とには、長穴７１ｂが形成してあり、リンク部材７３が挿通可能となっている。
【００５１】
図２３に示すように、連結板７２は、平面視コの字状を呈しており、上述したチャンネル部７１ａを塞ぐ態様で、可動側板本体７１に収容可能となっている。連結板７２の上方部両側面と下方部両側面とには、可動側板本体７１のチャンネル部７１ａに形成した長穴７１ｂを挿通したリンク部材７３が挿通するように、軸穴７２ａが形成してある。
【００５２】
一対のリンク部材７３は、それぞれ、ステンレス製の一連の棒状部材を、略コの字状であって、一の開放端部の軸線と他の開放端部の軸線とが一致し、互いに反対方向に延在するように折り曲げて構成してある。このように構成したリンク部材７３は、中央部が第一軸部７３ａを構成し、一の開放端部が第二軸部７３ｂを、他の開放端部が第三軸部７３ｃを構成する。そして、第一軸部７３ａと第二軸部７３ｂ、第一軸部７３ａと第三軸部７３ｃとは、互いに平行であって、第一軸部７３ａと第二軸部７３ｂとを接続する脚部分は、第一リンク部７３ｄを構成し、第一軸部と第三軸部７３ｃとを接続する脚部分は、第二リンク部７３ｅを構成する。
【００５３】
そして、可動側板本体７１に連結板７２を収容した後、可動側板本体７１のチャンネル部７１ａに形成した長穴７１ｂと連結板７２に形成した軸穴７２ａとにリンク部材７３の第一軸部７３ａが挿通すると、可動側板本体７１と連結板７２とが一体化する。このように一体化した可動側板本体７１と連結板７２とは、リンク部材７３の第一軸部７３ａの周りに回動自在となり、可動側板本体７１と連結板７２とは相対的にスライド可能となる。
【００５４】
ここで、図２４に示すように、リンク部材７３の第二軸部７３ｂおよび第三軸部７３ｃの長さ（屈曲部から第二軸部７３ｂの開放端までの長さ、屈曲部から第三軸部７３ｃの開放端までの長さ）Ｌ１は、開口１８の幅方向長さＬ２よりも長くなるように形成してある（Ｌ１＞Ｌ２）。そして、前側板１１に形成した軸穴１１ａにリンク部材７３の第二軸部７３ｂを、中側板１２に形成した軸穴１２ａにリンク部材７３の第三軸部７３ｃを挿通することにより、収納板１４（前側板１１と中側板１２）に可動側板７０を取り付けてある。その後、吊下板１５（１６）および搬出板１７と接続することにより、ラック側板１０を構成してある。
【００５５】
このように構成したラック側板１０、上下一対のリンク部材７３、および連結板７２は、平行リンク機構を構成し、ラック側板１０から商品収納通路２０に可動側板７０が進出した場合であっても、連結板７２は、ラック側板１０に対して常に平行状態を維持する。そして、可動側板本体７１は、連結板７２に対してスライド可能なので、可動側板本体７１は上下移動することなく、ラック側板１０から商品収納通路２０に進出可能である。
【００５６】
上述した可動側板７０を取り付けた商品収納ラックは、ステンレス製の棒状部材を略コの字状であって、一の開放端部と他の開放端部とが同一軸線を有し、互いに反対方向に延在するように折り曲げて構成することにより、中央部を第一軸部７３ａとし、一の開放端部を第二軸部７３ｂ、他の開放端部を第三軸部７３ｃとするので、リンク部材７３に要するコストを抑制でき、商品収納ラックのコストダウンを図ることができる。
【００５７】
しかも、リンク部材７３の第二軸部７３ｂと第三軸部７３ｃの長さ（屈曲部から第二軸部７３ｂの開放端までの長さ、屈曲部から第三軸部７３ｃの開放端までの長さ）Ｌ１を開口１８の幅方向長さＬ２より長くなるように形成してあるので、たとえ、リンク部材７３が撓んだとしても、ラック側板１０から可動側板７０が脱落することがない。
【図面の簡単な説明】
【００５８】
【図１】本発明の実施の形態にかかる商品収納ラックを三つ並設した状態を示す側断面図である。
【図２】フックタイプの吊下板を接続したラック側板の側面図である。
【図３】図２に示したラック側板の接続前の状態を示す側面図である。
【図４】レールタイプの吊下板を接続したラック側板の側面図である。
【図５】図３に示したラック側板の接続前の状態を示す側面図である。
【図６】フックタイプの商品収納ラックを本体キャビネットの吊下金具に吊り下げた状態を示す斜視図である。
【図７】レールタイプの商品収納ラックを本体キャビネットの吊下金具に吊り下げた状態を示す斜視図である。
【図８】収納板に形成した係止穴を示す拡大図である。
【図９】吊下板に形成した係止爪と突起とを示す拡大図である。
【図１０】吊下板と収納板とを示す断面図であって、接続前の状態を示したものである。
【図１１】吊下板と収納板とを示す断面図であって、接続後の状態を示したものである。
【図１２】通路形成板とフラッパーとを示す斜視図であって、フラッパーの取り付け前の状態を示したものである。
【図１３】通路形成板とフラッパーとを示す斜視図であって、フラッパーの取り付け後の状態を示したものである。
【図１４】第二軸規制部を示す拡大斜視図である。
【図１５】フラッパーと通路形成板とを示す側面図である。
【図１６】通路形成板の取り付けを説明する説明図であって、通路形成板の取り付け前の状態を示したものである。
【図１７】通路形成板の取り付けを説明する説明図であって、通路形成板の取り付け後の状態を示したものである。
【図１８】通路形成板を示す正面図である。
【図１９】通路形成板の取り付けを説明する説明図であって、通路形成板の取り付け直前の状態を示したものである。
【図２０】通路形成板の取り付けを説明する説明図であって、通路形成板の取り付け後の状態を示したものである。
【図２１】ラック側板に取り付けた可動側板を示す図である。
【図２２】商品搬出装置と通路規制板とを示す側面図である。
【図２３】ラック側板に取り付けた可動側板を示す斜視図である。
【図２４−１】ラック側板に取り付けた可動側板を示す平面図であって、可動側板が退避した状態を示したものである。
【図２４−２】ラック側板に取り付けた可動側板を示す平面図であって、可動側板が進出した状態を示したものである。
【符号の説明】
【００５９】
１    商品収納ラック
１０    ラック側板
１１    前側板
１１ａ    軸穴
１２    中側板
１２ａ    軸穴
１３    後側板
１４    収納板
１５，１６    吊下板
１７    搬出板
１８，１９    開口
２０    商品収納通路
５０    可動側板
５１，５２    リンク
５１ａ，５２ａ    第一軸部
５１ｂ，５２ｂ    第二軸部
５３，５４    軸受部
５５    可動側板本体
５６    連結板
７０    可動側板
７１    可動側板本体
７１ａ    チャンネル部
７１ｂ    長穴
７２    連結板
７２ａ    軸穴
７３    リンク部材
７３ａ    第一軸部
７３ｂ    第二軸部
７３ｃ    第三軸部
７３ｄ    第一リンク部
７３ｅ    第二リンク部
【図１】
2008027357.tif 000003
【図２】
2008027357.tif 000004
【図３】
2008027357.tif 000005
【図４】
2008027357.tif 000006
【図５】
2008027357.tif 000007
【図６】
2008027357.tif 000008
【図７】
2008027357.tif 000009
【図８】
2008027357.tif 000010
【図９】
2008027357.tif 000011
【図１０】
2008027357.tif 000012
【図１１】
2008027357.tif 000013
【図１２】
2008027357.tif 000014
【図１３】
2008027357.tif 000015
【図１４】
2008027357.tif 000016
【図１５】
2008027357.tif 000017
【図１６】
2008027357.tif 000018
【図１７】
2008027357.tif 000019
【図１８】
2008027357.tif 000020
【図１９】
2008027357.tif 000021
【図２０】
2008027357.tif 000022
【図２１】
2008027357.tif 000023
【図２２】
2008027357.tif 000024
【図２３】
2008027357.tif 000025
【図２４−１】
2008027357.tif 000026
【図２４−２】
2008027357.tif 000027